(57)【要約】  【課題】    再生アスファルト骨材加熱乾燥用のドライヤの加熱バーナによる熱風とその火炎を覆う内筒からの輻射熱を利用して熱エネルギー効率を高めるとともに、ドラム内壁面への再生加熱アスファルト骨材の付着を低減することにある。  【解決手段】      傾斜状態として回転自在に支持した再生アスファルト骨材加熱乾燥用のドライヤ１の加熱バーナ３の火炎を覆う内筒をドラム２内に装着して、この加熱バーナ３を装着したドラム２の端部の上部側から再生アスファルト骨材５を投入して熱風および内筒６からの輻射熱による並流加熱方式によって再生アスファルト骨材５を加熱乾燥するようにしている。さらに、加熱バーナ３の内筒６の先端側の側面部または下面部を開口状態として、ドラム２の内壁面に向かって放射熱を放射するようにすることが好ましい。【選択図】  図１
2006045845.tif 000002
【特許請求の範囲】
【請求項１】
傾斜状態として回転自在に支持した再生アスファルト骨材加熱乾燥用のドライヤの加
熱バーナの火炎を覆う内筒をドライヤのドラム内に装着して、この加熱バーナを装着した
ドラムの端部の上部側から再生アスファルト骨材を投入して熱風および加熱バーナの内筒
からの輻射熱による並流加熱方式によって再生アスファルト骨材を加熱乾燥するようにし
たことを特徴とする再生アスファルト骨材の加熱乾燥用ドライヤ。
【請求項２】
加熱バーナのドラム内に装着した内筒の先端側の側面部または下面部を開口状態とし
てその開口部からドライヤのドラムの内壁面に向かって放射熱を放射するようにしたこと
を特徴とする請求項１に記載の再生アスファルト骨材の加熱乾燥用ドライヤ。
【請求項３】
加熱バーナのドラム内に装着した内筒の先端側の側面部または下面部を斜め状に切欠
した開口状態としてその開口部からドライヤのドラムの内壁面に向かって放射熱を放射す
るようにしたことを特徴とする請求項１または２に記載の再生アスファルト骨材の加熱乾
燥用ドライヤ。
【発明の詳細な説明】
【技術分野】
【０００１】
本発明は、道路に敷設されたアスファルト舗装材を掘り起こして粉砕、選別して得ら
れた再生アスファルト骨材を加熱乾燥して再利用を図る再生アスファルト骨材の加熱乾燥
用ドライヤに関するものである。
【背景技術】
【０００２】
アスファルト舗装の打ち換え等で発生したアスファルト舗装廃材をクラッシャーで粉
砕し、粒度別に選別して得られた再生アスファルト骨材をドライヤに投入して加熱乾燥し
、新規なアスファルト混合物として再利用することが一般的に行われている。
【０００３】
この従来の再生アスファルト骨材加熱乾燥用のドライヤでは、ドラムの一端部外側に
燃焼室を配設し、該燃焼室内にバーナの火炎を形成しながら高温熱風をドラム内に供給し
、この高温熱風によってドラム内に供給した再生アスファルト骨材を加熱乾燥している。
【０００４】
しかし、再生アスファルト骨材が加熱されて骨材温度が６０〜１００℃付近となると
、アスファルト成分が粘着性を有するようになり、ドラム入口付近のドラム内壁や羽根に
付着して堆積していく。この付着が続くとドライヤの能力に支障がでてくるので、付着防
止用のチェーン等で削り落としたり、更には付着物を人手を介してはつって除去したりし
ている。
【０００５】
そこで、先行特許調査をした結果、特公平１−３５１２１号公報のようにドライムの
一端部に内筒を挿入し、該内筒内に加熱バーナの火炎を形成して再生アスファルト骨材、
新規骨材の双方を加熱するようにしたものがある。
【０００６】
しかし、上記特公平１−３５１２１号公報のものは、再生アスファルト骨材、新規骨
材の双方を加熱するドライヤであって、いわゆる並流加熱方式とすると、排気ガスが高温
となってエネルギー損失が大きいため、排気ガスの温度を下げられる向流加熱方式を採用
したものであり、再生アスファルト骨材が過熱されすぎないようにドラムのほぼ中間部に
供給したものであった。
【特許文献１】特公平１−３５１２１号公報
【発明の開示】
【発明が解決しようとする課題】
【０００７】
本発明は、加熱バーナによる熱風とその火炎を覆う内筒からの輻射熱を利用して熱エ
ネルギー効率を高めるとともに、ドラム内壁面への再生加熱アスファルト骨材の付着を低
減することにある。
【課題を解決するための手段】
【０００８】
本発明は、上記したような点に鑑み、上記の課題を解決するために、傾斜状態として
回転自在に支持した再生アスファルト骨材加熱乾燥用のドライヤの加熱バーナの火炎を覆
う内筒をドライヤのドラム内に装着して、この加熱バーナを装着したドラムの端部の上部
側から再生アスファルト骨材を投入して熱風および加熱バーナの内筒からの輻射熱による
並流加熱方式によって再生アスファルト骨材を加熱乾燥するようにしたことを特徴とする
再生アスファルト骨材の加熱乾燥用ドライヤを提供するものである。
【０００９】
また、加熱バーナの内筒のドラム内に装着した先端側の側面部または下面部を開口状
態としてその開口部からドライヤのドラムの内壁面に向かって放射熱を放射するようにし
たことを特徴とする再生アスファルト骨材の加熱乾燥用ドライヤを提供するものである。
【００１０】
さらに、加熱バーナのドラム内に装着した内筒の先端側の側面部または下面部を斜め
状に切欠した開口状態としてその開口部からドライヤのドラムの内壁面に向かって放射熱
を放射するようにしたことを特徴とする再生アスファルト骨材の加熱乾燥用ドライヤを提
供するものである。
【発明の効果】
【００１１】
本発明は、傾斜状態として回転自在に支持した再生アスファルト骨材の加熱乾燥用ド
ライヤの加熱バーナの火炎を覆う内筒をドライヤのドラム内に装着することによって、ド
ライヤの構造を簡素化しながら、熱エネルギー効率を高めて再生アスファルト骨材を加熱
乾燥できる。
【００１２】
そして、この加熱バーナを装着したドラムの端部の上部側から再生アスファルト骨材
を投入して熱風および加熱バーナの内筒からの輻射熱による並流加熱方式で再生アスファ
ルト骨材を加熱乾燥することによって、ドラムの骨材投入付近の内周壁に付着しやすい再
生加熱アスファルト骨材の付着堆積を極力低減でき、ドライヤの加熱効率を高めることが
できる。
【００１３】
また、加熱バーナのドラム内に装着した内筒の先端側の側面部または下面部を開口状
態としてその開口部からドラムの内壁面に向かって放射熱を放射することによって、熱風
および加熱バーナのドラム内に挿入した内筒の周囲から輻射熱と放射熱を放射して再生ア
スファルト骨材およびドラムの内壁面を加熱でき、ドライヤの入口付近に再生加熱アスフ
ァルト骨材が付着して堆積するのを防止できる。
【００１４】
またさらに、加熱バーナの内筒のドラム内に装着した先端側の側面部または下面部を
開口状態としてその開口部からドライヤのドラムの内壁面に向かって放射熱を放射するよ
うにしたことによって、加熱バーナの内筒の周囲からの輻射熱と、その内筒の斜め状に切
欠した開口部からドラムの内壁面に向かって放射熱を放射して、再生アスファルト骨材お
よびドラムの内壁面を効果的に加熱でき、ドライヤの入口付近に再生加熱アスファルト骨
材が付着して堆積するのを確実に防止できる。
【発明を実施するための最良の形態】
【００１５】
本発明の再生アスファルト骨材加熱乾燥用のドライヤは、傾斜状態として回転自在に
支持した再生アスファルト骨材加熱乾燥用のドライヤの加熱バーナの火炎を覆う内筒をド
ライヤのドラム内に装着して、この加熱バーナを装着したドラムの端部の上部側から再生
アスファルト骨材を投入して熱風および加熱バーナの内筒からの輻射熱による並流加熱方
式によって再生アスファルト骨材を加熱乾燥するようにしたことを特徴としている。
【００１６】
ドライヤ１は、図１のように所定径、所定長さとした耐熱性のドラム２をやや傾斜し
て回転自在に支持し、その上方端部側に加熱バーナ３を配設し、該加熱バーナ３の火炎を
覆うように内筒６をドラム２内に挿入して装着し、そのドラム２の端部の上部側の骨材投
入口４から再生アスファルト骨材５を投入して、加熱乾燥して再生加熱アスファルト骨材
を製造できるようにしている。
【００１７】
特に、上記加熱バーナ３のドラム２内に挿入した火炎を覆う内筒６は、耐熱性鋼材で
図１のようにドラム２の内側にドラム内径のほぼ２分の１程度の口径としてドラム２の端
面からドラム長さの５分の１から３分の１の長さ程度に突き出して配設していて、骨材投
入口４から投入する再生アスファルト骨材５を火炎に直接触れさせないで、ドラム２内を
通過する熱風と加熱バーナ３の内筒６の側周面、特に下周面からの輻射熱とによって加熱
乾燥するようにし、この内筒６を突設したドラム２の内壁部に送り羽根７を一段形状で配
設して再生アスファルト骨材５をドラム内部へと送り込むようにし、ドラム２の後方に配
設した掻上羽根９によって掻上げ、落下させながら熱風で均一に加熱乾燥して後部の排出
口８から排出するようにしている。
【００１８】
このように再生アスファルト骨材５の投入部の加熱バーナ３の内筒６の根元付近から
掻上羽根９の前部付近の、従来では最も再生アスファルト骨材がドラム２に付着しやすか
った部分Ｒを、上記のようにドライヤ１内の熱風と加熱バーナ３の内筒６の側面、特に下
周面からの輻射熱とによって加熱することによって、再生アスファルト骨材５がドラム２
に付着するのを防止でき、かつ省エネルギーをはかることができる。
【００１９】
また、上記したようにドライヤ１のドラム２の中央部付近から後部にかけてその周面
に掻上羽根９を周設していて、その掻上羽根９は図２のように円筒状としてドラム２の壁
面から約５０〜１００ｍｍ程度浮き上げた状態で配設し、粘りがある再生加熱アスファル
ト骨材が触れても、滑って付着しにくくしている。
【００２０】
図３、図４は、上記した加熱バーナ３の火炎を覆う内筒６の先端側の側面または下面
をできるだけ大きな開口となるように斜め状に切欠状態とした開口部１０を設けて、この
開口部１０からの放射熱を加えて加熱するようにし、上記の輻射熱と熱風と放射熱とによ
って、再生アスファルト骨材５を一層有効に加熱乾燥するようにしている。なお、図のよ
うに内筒６内に再生アスファルト骨材５が堆積しないように側面や下面側に開口部１０を
設けるのが好ましい。
【実施例】
【００２１】
図１、図２は、本発明の一実施例を示すもので、１４５０ｍｍ径、４５００ｍｍ長さ
のドライヤ１の一端側に重油による加熱バーナ３をその７００ｍｍ径の円筒状の鋼製の内
筒６をドラム２内に１０００ｍｍ程突き出して装着し、その上部側の端部に設けた骨材投
入口４から再生アスファルト骨材５を投入して、並流加熱方式によって熱効率よく加熱乾
燥するようにしたものである。
【００２２】
骨材投入口４から再生アスファルト骨材５を投入すると、再生アスファルト骨材５は
ドラム２の回転によって送り羽根８を介してドラム内部へと送り込まれるとともに、加熱
バーナ３の加熱による熱風、その内筒６からの輻射熱によって加熱乾燥される。
【００２３】
したがって、従来の熱風だけによる熱交換方式に比して再生アスファルト骨材への熱
吸収を早めるとともに、ドラムの壁面に付着するのを防止でき、さらにエネルギー効率を
高めることができて、ドライヤ内の再生加熱アスファルト骨材の滞留時間が３〜４分間程
度に、また適温まで上昇する時間を短縮することができ、また従来型よりもドライヤの長
さを２０〜３０％程度短くできる。
【００２４】
また、上記のように熱風と、その内筒６からの輻射熱によって加熱乾燥された再生ア
スファルト骨材５は、図１のようにその後方に送られ、掻上羽根９によって掻上げられ、
落下し、熱風によって加熱乾燥される。その際、掻上げ羽根９は、図２のように円筒状と
してドラム２の壁面より若干隔てているため、再生加熱アスファルト骨材が付着しにくく
、熱交換が十分に行われ、水分が排除される。
【００２５】
図３、図４は、本発明の他の実施例のもので、加熱バーナ３の内筒６の先端部の側面
を斜め状に切欠して開口部１０としたもので、この開口部１０からさらに放射熱を放射し
て再生アスファルト骨材を加熱乾燥することができ、一層のエネルギー効率を高めること
ができる。
【図面の簡単な説明】
【００２６】
【図１】本発明の一実施例の要部説明用側断面図、
【図２】同上のドライヤの掻上部の縦断面図、
【図３】同上の他の実施例の要部説明用平断面図、
【図４】同上の要部説明用側断面図、
【符号の説明】
【００２７】
１…ドライヤ      ２…ドラム      ３…加熱バーナ    ５…再生アスファルト骨材
６…内筒          ７…送り羽根    ９…掻上羽根    １０…開口部
【図１】
2006045845.tif 000003
【図２】
2006045845.tif 000004
【図３】
2006045845.tif 000005
【図４】
2006045845.tif 000006